(57)【特許請求の範囲】
【請求項１】
ねじり振動ダンパであって、
回転軸と、
トルクを受けるように配置された駆動プレートと、
出力フランジと、
ばね保持プレートと、を備え、
前記ばね保持プレートは、
第１の軸方向に向いた第１の側面と、
前記第１の軸方向とは反対の第２の軸方向に向いた第２の側面と、
第１及び第２の複数の穴であって、前記ばね保持プレートを形成する材料を貫通して前記第１の側面と前記第２の側面とを接続し、周方向で互いに整列している、第１及び第２の複数の穴と、
第１の複数のばねストッパであって、該第１の複数のばねストッパにおける各ばねストッパは、前記ばね保持プレートのその他の部分を形成する材料と同じ材料から形成されており、前記第１及び第２の複数の穴から成るそれぞれ一対の穴によって周方向で境界が区切られており、前記第１の軸方向で少なくとも部分的に前記第１の側面から延在している、第１の複数のばねストッパと、
前記駆動プレートと前記第１の複数のばねストッパとに係合する、周方向に配置された第１の複数のばねであって、前記ばね保持プレートが、前記第１の複数のばねを部分的に取り囲むように配置され、前記第１の複数のばねを半径方向外側方向で保持している、第１の複数のばねと、
を有する、ねじり振動ダンパ。
【請求項２】
前記第１の複数のばねにおける各ばねは、前記第１の複数のばねストッパのうちそれぞれ一対のばねストッパにそれぞれ係合する、第１及び第２の周方向端部を有している、請求項１記載のダンパ。
【請求項３】
前記第１の複数のばねにおける各ばねは、それぞれ第１及び第２の周方向端部を有し、
前記第１の複数のばねストッパにおける各ばねストッパは、
前記それぞれ一対の穴のうち一方の穴の近位に位置し、それぞれ第１の周方向端部に係合するそれぞれ第１の端面と、
前記それぞれ一対の穴のうち他方の穴の近位に位置し、それぞれ第２の周方向端部に係合するそれぞれ第２の端面と、
を有する、請求項１記載のダンパ。
【請求項４】
前記第１の端面及び前記第２の端面は、周方向で整列している、請求項３記載のダンパ。
【請求項５】
前記ばね保持プレートは、
前記第１の複数のばねストッパの半径方向内側の第１の部分と、
前記第１の複数のばねストッパの半径方向外側の第２の部分と、
を有し、
前記第１の端面はそれぞれ、前記第１の部分から前記第２の部分まで連続しており、
前記第２の端面はそれぞれ、前記第１の部分から前記第２の部分まで連続している、請求項３記載のダンパ。
【請求項６】
前記ばね保持プレートは、
前記第１の複数のばねストッパの半径方向内側の第１の部分と、
前記第１の複数のばねストッパの半径方向外側の第２の部分と、
を有し、
前記第１の複数のばねストッパにおける前記各ばねストッパの少なくとも一部は、前記第１の部分から前記第２の部分まで連続している、請求項１記載のダンパ。
【請求項７】
前記第１の複数のばねストッパにおける前記各ばねストッパの全体は、前記第１の部分から前記第２の部分まで連続している、請求項６記載のダンパ。
【請求項８】
前記ばね保持プレートは、複数の第１の部分を有しており、
各第１の部分は、前記第１及び第２の複数の穴と周方向で整列しており、前記第１及び第２の複数の穴と半径方向で整列しておらず、前記第１の複数のばねの各ばねを収容するように配置されており、
前記第１の複数のばねの各ばねは、前記各第１の部分に位置している、請求項１記載のダンパ。
【請求項９】
前記第１の複数のばねストッパにおける各ばねストッパは、
前記それぞれ一対の穴のうち一方の穴の近位に位置するそれぞれ第１の端面と、
前記それぞれ一対の穴のうち他方の穴の近位に位置するそれぞれ第２の端面と、
を有し、
前記第１の複数のばねストッパにおける前記各ばねストッパの少なくとも一部は、前記周方向で、それぞれ前記第１の端面と前記第２の端面との間で連続している、
請求項１記載のダンパ。
【請求項１０】
前記第１の複数のばねストッパにおける前記各ばねストッパの全部は、前記周方向で、それぞれ前記第１の端面と前記第２の端面との間で連続している、請求項９記載のダンパ。
【請求項１１】
前記ばね保持プレートは、第２の複数のばねストッパを有し、該第２の複数のばねストッパにおける各ばねストッパは、前記第１の複数のばねストッパを形成する材料と同じ材料から形成されており、前記第１の側面から延在し、前記第１の複数のばねストッパにおける各ばねストッパの少なくとも一部と、半径方向で整列し、前記半径方向で前記第１の複数のばねストッパの外側に位置している、請求項１記載のダンパ。
【請求項１２】
前記第１の複数のばねにおける各ばねは、それぞれ第１及び第２の周方向端部を有しており、
前記第２の複数のばねストッパにおける各ばねストッパは、
それぞれ第１の周方向端部に係合するそれぞれ第１の端面と、
それぞれ第２の周方向端部に係合するそれぞれ第２の端面と、
を有する、請求項１１記載のダンパ。
【請求項１３】
ねじり振動ダンパであって、
回転軸と、
駆動プレートと、
出力フランジと、
ばね保持プレートと、を備え、
前記ばね保持プレートは、
第１の軸方向に向いた第１の側面と、
前記第１の軸方向とは反対の第２の軸方向に向いた第２の側面と、
第１の複数のばねストッパであって、該第１の複数のばねストッパにおける各ばねストッパは、前記ばね保持プレートのその他の部分を形成する材料と同じ材料から形成されており、前記第１の軸方向で前記第１の側面から少なくとも部分的に延在しており、周方向で隔てられたそれぞれ第１及び第２の端面であって、前記第１の軸方向で、それぞれ第１及び第２のギャップによって前記第１の側面から隔てられた第１及び第２の端面を有している、第１の複数のばねストッパと、
を有し、
前記ねじり振動ダンパは、第１の複数のばねをさらに備え、該第１の複数のばねにおける各ばねは、
それぞれ第１の端面に係合するそれぞれ第１の周方向端部と、
それぞれ第２の端面に係合するそれぞれ第２の周方向端部と、
を有し、
前記ばね保持プレートは、前記第１の複数のばねを部分的に取り囲むように配置されていて、前記第１の複数のばねを半径方向外側方向で保持している、ねじり振動ダンパ。
【請求項１４】
第１及び第２の複数の穴をさらに備え、該第１及び第２の複数の穴は、前記ばね保持プレートを形成する材料を貫通し、前記第１の側面と前記第２の側面とを接続し、前記周方向で互いに整列し、前記第１及び第２の各ギャップへと開口している、請求項１３記載のダンパ。
【請求項１５】
前記ばね保持プレートは、
前記第１の複数のばねストッパの半径方向内側に位置する第１の部分と、
前記第１の複数のばねストッパの半径方向外側に位置する第２の部分と、
を有し、
前記第１の複数のばねストッパにおける前記各ばねストッパの、回転軸に対して垂直な断面では、前記各ばねストッパは連続していて、前記第１の部分から前記第２の部分まで、それぞれ非連続の部分はない、請求項１３記載のダンパ。
【請求項１６】
前記各ばねストッパは連続していて、前記各第１の端面から前記各第２の端面まで、それぞれ非連続の部分はない、請求項１３記載のダンパ。
【請求項１７】
トルクコンバータであって、
回転軸と、
カバーと、
インペラと、
タービンと、
ステータと、
ねじり振動ダンパと、を備え、
前記ねじり振動ダンパは、
駆動プレートと、
出力フランジと、
ばね保持プレートと、
を備え、
前記ばね保持プレートは、
タービンから離れる方向である第１の軸方向に向いた第１の側面と、
タービンに向かう方向である第２の軸方向に向いた第２の側面と、
第１及び第２の複数の穴であって、前記ばね保持プレートを形成する材料を貫通し、前記第１の側面と前記第２の側面とを接続し、周方向で互いに整列している、第１及び第２の複数の穴と、
第１の複数のばねストッパであって、該第１の複数のばねストッパにおける各ばねストッパは、前記ばね保持プレートのその他の部分を形成する材料と同じ材料から形成されており、前記第１及び第２の複数の穴から成るそれぞれ一対の穴によって周方向で境界が区切られており、前記第１の軸方向で前記第１の側面から少なくとも部分的に延在している、第１の複数のばねストッパと、
前記駆動プレートと前記第１の複数のばねストッパとに係合する周方向に配置された第１の複数のばねと、
を有し、
前記トルクコンバータは、前記カバーと前記駆動プレートとを回転不能に接続するように配置されたロックアップクラッチをさらに備え、
前記ばね保持プレートは、前記第１の複数のばねを部分的に取り囲み、前記第１の複数のばねを半径方向外側方向で保持するように配置されており、
前記第１の複数のばねストッパにおける前記各ばねストッパの、回転軸に対して垂直な断面では、前記ばね保持プレートは連続している、トルクコンバータ。
【請求項１８】
前記第１の複数のばねストッパにおける前記各ばねストッパは、
前記それぞれ一対の穴のうち一方の穴の近位に位置するそれぞれ第１の端面と、
前記それぞれ一対の穴のうち他方の穴の近位に位置するそれぞれ第２の端面と、
を有し、
前記第１の複数のばねストッパにおける前記各ばねストッパの少なくとも一部は、前記周方向で、それぞれ前記第１の端面と前記第２の端面との間で連続している、請求項１７記載のトルクコンバータ。
【請求項１９】
前記ばね保持プレートは、第２の複数のばねストッパを有し、該第２の複数のばねストッパにおける各ばねストッパは、前記第１の複数のばねストッパを形成する材料と同じ材料から形成されており、前記第１の側面から延在し、前記第１の複数のばねストッパにおける各ばねストッパの少なくとも一部と、半径方向で整列し、半径方向で前記第１の複数のばねストッパの外側に位置しており、
前記第２の複数のばねストッパにおける前記各ばねストッパは、周方向で隔てられたそれぞれ第１及び第２の端面を有しており、
前記第１の複数のばねにおける各ばねは、
それぞれ第１の端面に係合するそれぞれ第１の周方向端部と、
それぞれ第２の端面に係合するそれぞれ第２の周方向端部と、
を有している、請求項１７記載のトルクコンバータ。
【請求項２０】
前記第１の複数のばねストッパにおける前記各ばねストッパは、
前記それぞれ一対の穴のうち一方の穴の近位に位置するそれぞれ第３の端面と、
前記それぞれ一対の穴のうち他方の穴の近位に位置するそれぞれ第４の端面と、
を有し、
前記それぞれ第１の周方向端部は、それぞれ第３の端面に係合していて、
前記それぞれ第２の周方向端部は、それぞれ第４の端面に係合している、請求項１９記載のトルクコンバータ。
【発明の詳細な説明】
【技術分野】
【０００１】
関連出願の相互参照
本願は、２０１４年３月１３日に出願された米国仮特許出願第６１／９５２，３７０号の合衆国第３５法典第１１９条（ｅ）に基づく利益を請求し、参照によりその全体が本明細書に援用される。
【０００２】
技術分野
本開示は、一般に切り曲げ加工されたばねストッパを備えたばね保持プレートに関し、特に、ばね保持プレートに一体に形成され、ばね保持プレートの一方の側面から外側に向かって延在するストッパを備えたばね保持プレートに関する。
【背景技術】
【０００３】
図１０は、例えば振動ダンパ用の、従来の形式のばね保持器２００を示す部分的な断面図である。ばねの周方向端部（図示せず）又はばね用のエンドキャップ（図示せず）が、ばねを周方向で固定するために保持器の部分２０２に係合する。理想的には、エンドキャップとばねとは周方向で整列して維持されるべきであり、エンドキャップは実質的に、ばね保持器の回転軸を通る平面と同一平面にある。しかしながら、部分２０２は丸みをおびている。結果として、ばね及び／又はエンドキャップは、滑る、かつ／又はねじれる可能性があり、その結果、ばね及び／又はエンドキャップの曲げ応力を損なう。プレート用のばねストッパを形成するために、ばね保持プレートに固定される別個の構成部材を使用することが公知である。しかしながら、複数の構成部材を使用することにより、製造コスト、煩雑性、プレートの製作時間が増大する。
【発明の概要】
【課題を解決するための手段】
【０００４】
本開示は、概してねじり振動ダンパであって、回転軸と、トルクを受けるように配置された駆動プレートと、出力フランジと、ばね保持プレートと、を備え、ばね保持プレートは、第１の軸方向に向いた第１の側面と、第１の軸方向とは反対の第２の軸方向に向いた第２の側面と、第１及び第２の複数の穴であって、ばね保持プレートを形成する材料を貫通して第１の側面と第２の側面とを接続し、周方向で互いに整列している、第１及び第２の複数の穴と、第１の複数のばねストッパであって、第１の複数のばねストッパにおける各ばねストッパは、ばね保持プレートのその他の部分を形成する材料と同じ材料から形成されており、第１及び第２の複数の穴から成るそれぞれ一対の穴によって周方向で境界が区切られており、第１の軸方向で少なくとも部分的に第１の側面から延在している、第１の複数のばねストッパと、駆動プレートと第１の複数のばねストッパとに係合する、周方向に配置された第１の複数のばねと、を有する、ねじり振動ダンパを含む。ばね保持プレートは、第１の複数のばねを部分的に取り囲むように配置され、第１の複数のばねを半径方向外側方向で保持している。
【０００５】
本開示は、概してねじり振動ダンパであって、回転軸と、駆動プレートと、出力フランジと、ばね保持プレートと、を備え、ばね保持プレートは、第１の軸方向に向いた第１の側面と、第１の軸方向とは反対の第２の軸方向に向いた第２の側面と、第１の複数のばねストッパであって、第１の複数のばねストッパにおける各ばねストッパは、ばね保持プレートのその他の部分を形成する材料と同じ材料から形成されており、第１の軸方向で第１の側面から少なくとも部分的に延在し、周方向で隔てられたそれぞれ第１及び第２の端面であって、第１の軸方向で、それぞれ第１及び第２のギャップによって第１の側面から隔てられた端面を有している、第１の複数のばねストッパと、を有しており、ねじり振動ダンパは、第１の複数のばねであって、第１の複数のばねにおける各ばねは、それぞれ第１の端面に係合するそれぞれ第１の周方向端部と、それぞれ第２の端面に係合するそれぞれ第２の周方向端部と、を有する第１の複数のばねをさらに備える、ねじり振動ダンパを含む。ばね保持プレートは、第１の複数のばねを部分的に取り囲むように配置されており、第１の複数のばねを半径方向外側方向で保持している。
【０００６】
本開示は概して、トルクコンバータであって、回転軸と、カバーと、インペラと、タービンと、ステータと、ねじり振動ダンパと、を備え、ねじり振動ダンパは、駆動プレートと、出力フランジと、ばね保持プレートと、を備え、ばね保持プレートは、タービンから離れる方向である第１の軸方向に向いた第１の側面と、タービンに向かう方向である第２の軸方向に向いた第２の側面と、第１及び第２の複数の穴であって、ばね保持プレートを形成する材料を貫通し、第１の側面と第２の側面とを接続し、周方向で互いに整列している、第１及び第２の複数の穴と、第１の複数のばねストッパであって、第１の複数のばねストッパにおける各ばねストッパは、ばね保持プレートのその他の部分を形成する材料と同じ材料から形成されており、第１及び第２の複数の穴から成るそれぞれ一対の穴によって周方向で境界が区切られており、第１の軸方向で第１の側面から少なくとも部分的に延在している、第１の複数のばねストッパと、を有しており、ねじり振動ダンパは、駆動プレートと第１の複数のばねストッパとに係合する周方向に配置された第１の複数のばねをさらに備える、トルクコンバータを含む。トルクコンバータは、カバーと駆動プレートとを回転不能に接続するように配置されたロックアップクラッチを有している。ばね保持プレートは、第１の複数のばねを部分的に取り囲み、第１の複数のばねを半径方向外側方向で保持するように配置されている。第１の複数のばねストッパにおける各ばねストッパの、回転軸に対して垂直な断面では、各ばね保持プレートは連続している。
【０００７】
ここで本開示の性質及び作動様式を、添付の図面に関連した以下の本開示の詳細な説明においてより詳細に説明する。
【図面の簡単な説明】
【０００８】
【図１ａ】本願において使用される空間に関する用語を説明する円柱座標系の斜視図である。
【図１ｂ】本願において使用される空間に関する用語を説明する図１ａの円柱座標系における物体の斜視図である。
【図２】切り曲げ加工されたばねストッパを有したねじり振動ダンパを備えるトルクコンバータの部分断面図である。
【図３】図２に示したダンパの部分の正面図である。
【図４】図２に示したばね保持プレートの正面図である。
【図５】一般に図４に示された線５−５に沿って見た断面図である。
【図６】一般に図４に示された線６−６に沿って見た断面図である。
【図７】一般に図４に示された線７−７に沿って見た断面図である。
【図８】図４における領域８，９の詳細な正面図である。
【図９】図４における領域８，９の詳細な背面図である。
【図１０】例えば振動ダンパ用の、従来の形式のばね保持器を示す部分的な断面図である。
【発明を実施するための形態】
【０００９】
最初に、異なる図面における同じ図面番号は、本開示の同じ又は機能的に類似の構造エレメントを識別していることが認識されるべきである。請求の範囲に記載のような開示は、開示された態様に限定されないことが理解されるべきである。
【００１０】
さらに、この開示は、特定の方法、材料及び記載された変更に限定されるのではなく、したがって、もちろん変更されてよいことが理解される。本明細書で使用される用語は、特定の態様を説明する目的のためだけのものであり、本開示の範囲を限定することが意図されたものではないことも理解される。
【００１１】
別段の定めがない限り、本明細書で使用される全ての技術的及び科学的用語は、本開示が属する技術分野における当業者に一般的に理解されるのと同じ意味を有する。ここで説明されたものと類似又は均等なあらゆる方法、装置又は材料を本開示の実用又は試験において使用することができることを理解すべきである。
【００１２】
別段の定めがない限り、本明細書で使用される全ての技術的及び科学的用語は、この開示が属する技術分野における当業者に一般的に理解されるのと同じ意味を有する。当然のことながら、「実質的に」という用語は、「ほぼ」、「極めて近似している」、「約」、「おおよそ」、「およそ」、「類似の」、「近い」、「本質的に」、「近くにある」、「前後である」等の用語と同義語であり、このような用語は、明細書と特許請求の範囲において用いられるとき、入れ替えて使用されてよい。当然のことながら、「近位の」という用語は、「近接した」、「近くの」、「隣接した」、「付近の」、「周辺の」、「隣の」等の用語と同義語であり、このような用語は、明細書と特許請求の範囲において用いられるとき、入れ替えて使用されてよい。
【００１３】
図１ａは、本願において使用される空間に関する用語を説明する円柱座標系８０の斜視図である。本発明は、少なくとも部分的に円柱座標系に関して説明される。系８０は、以下の方向及び空間に関する用語の基準として使用される長手方向軸線８１を有する。軸方向ＡＤは、軸線８１に対して平行である。半径方向ＲＤは、軸線８１に対して垂直である。周方向ＣＤは、軸線８１を中心として回転する（軸線８１に対して垂直な）半径Ｒの終端点によって規定されている。
【００１４】
空間に関する用語を明らかにするために、物体８４，８５及び８６を使用する。物体８４の面８７は、軸方向平面を形成している。例えば軸線８１は面８７と一致する。物体８５の面８８は、半径方向平面を形成している。例えば半径８２は面８８と一致する。物体８６の面８９は、周方向面を形成している。例えば円周８３は面８９と一致する。別の例として、軸方向の移動又は配置は、軸線８１に対して平行であり、半径方向の移動又は配置は、軸線８１に対して垂直であり、周方向の移動又は配置は、円周８３に対して平行である。回転は、軸線８１に関する。
【００１５】
「軸方向に」、「半径方向に」及び「周方向に」という副詞は、それぞれ軸線８１、半径８２又は円周８３に対して平行な向きに関するものである。「軸方向に」、「半径方向に」及び「周方向に」という副詞は、それぞれの平面に対して平行な向きにも関する。
【００１６】
図１ｂは、本願において使用される空間に関する用語を説明する図１ａの円柱座標系８０における物体９０の斜視図である。円筒状の物体９０は、円柱座標系における円筒状の物体を表し、本発明を限定することは意図されていない。物体９０は、軸方向の面９１と、半径方向の面９２と、周方向の面９３とを有する。面９１は、軸方向平面の一部であり、面９２は、半径方向平面の一部である。
【００１７】
図２は、切り曲げ加工されたばねストッパを有するねじり振動ダンパ１０２を備えるトルクコンバータ１００の部分的な断面図である。
【００１８】
図３は、図２に示したダンパ１０２の部分の正面図である。
【００１９】
図４は、図２に示したばね保持プレートの正面図である。
【００２０】
図５は、一般に図４に示した線５−５に沿って見た断面図である。
【００２１】
図６は、一般に図４に示した線６−６に沿って見た断面図である。
【００２２】
図７は、一般に図４に示した線７−７に沿って見た断面図である。以下の記載については、図２から図７を参照されたい。ダンパ１０２は、回転軸ＡＲと、トルクを受けるように配置された駆動プレート１０４と、出力フランジ１０６と、ばね保持プレート１０８と、ばね１１０とを含む。ばね保持プレート１０８は、軸方向ＡＤ１に向いた側面１１２と、軸方向ＡＤ１とは反対の軸方向ＡＤ２に向いた側面１１４とを含む。プレート１０８は、保持プレート１０８を形成する材料を貫通し、両側面１１２と１１４とを接続する、周方向ＣＤで整列した穴１１６と１１８とを含む。
【００２３】
ばね保持プレート１０８はばねストッパ１２０を含む。説明を簡単にするために、以下の議論は単一のストッパ１２０に関して行うが、これに限定するものではなく、この議論は、個々のストッパ１２０に適用可能であると理解されたい。ストッパ１２０は方向ＣＤで穴１１６と１１８によって境界を区切られていて、プレート１０８のその他の部分を形成する材料と同じものから形成されている。換言するならば、ストッパ１２０はプレート１０８と一体である。例えば、ストッパ１２０は切り曲げ加工されたプレート１０８によって形成されている。ストッパ１２０は、周方向ＣＤで穴１１６と１１８とに整列していて、方向ＡＤ１の側面１１２を越えて延在している。ばね１１０は、駆動プレート１０４とストッパ１２０とに係合する。ばね保持プレート１０８は、ばね１１０を部分的に取り囲むように配置されていて、ばね１１０を半径方向外側方向ＲＤで保持している。
【００２４】
以下の議論は単一のばね１１０に関して行う。しかしながら、この議論は、個々のばね１１０に適用可能であると理解されたい。ばね１１０は、一対のばねストッパ１２０に係合する周方向の端部１２２と１２４を有している。例えば、ばね１１０Ａは、ストッパ１２０Ａとストッパ１２０Ｂとに係合している。
【００２５】
ストッパ１２０は、穴１１６の近くに位置し、端部１２２と係合する端面１２６と、穴１１８の近くに位置し、端部１２４に係合する端面１２８とを有している。端面１２６と１２８とは方向ＣＤで整列している。１つの実施の形態では、ばねストッパ１２０の少なくとも一部は、周方向ＣＤで端面１２６と１２８との間で連続している。１つの実施の形態では、ばねストッパ１２０の全体が、周方向ＣＤで端面１２６と１２８との間で連続している。
【００２６】
ばね保持プレート１０８はばねポケット１３０を備え、各ポケット１３０は、周方向ＣＤで穴１１６と１１８とに整列していて、半径方向ＲＤで穴１１６と１１８とに整列していない。ばね１１０は、それぞれ各ポケット１３０内に位置している。ポケット１３０は、ばね１１０を部分的に取り囲むように湾曲していて、ばね１１０を半径方向外側方向ＲＤで保持している。
【００２７】
有利には、端面１２６と１２８は、例えば、ばねストッパ１２０の半径方向内側のプレート１０８の部分１３６から、ストッパ１２０の半径方向内側のばねストッパ１０８の部分１３８まで連続している。面１２６と１２８の連続性は、有利にはばね１１０に係合するためのより堅牢な面を提供する。１つの実施の形態では、ばねストッパ１２０の一部は、部分１３６から部分１３８まで連続している。図５に示した実施の形態では、ばねストッパ１２０の全部が、部分１３６から部分１３８まで連続している。
【００２８】
１つの実施の形態では、ばね保持プレート１０８はばねストッパ１４０を含む。以下の議論は単一のストッパ１４０に関して行うが、これに限定するものではなく、この議論は、個々のストッパ１４０に適用可能であると理解されたい。ストッパ１４０は、ばねストッパ１２０を形成する材料と同じものから形成されており、側面１１２から延在し、半径方向ＲＤでばねストッパ１２０の少なくとも一部と整列し、半径方向ＲＤでばねストッパ１２０の外側に位置している。ストッパ１４０は、端部１４２と１４４とを含む。ばね１１０の周方向端部１２２と１２４は、端部１４２と１４４とにそれぞれ係合している。従って、端部１２２は、１つのストッパ１２０の端面１２６と１つのストッパ１４０の端部１４２とに係合していて、端部１２４は、別のストッパ１２０の端面１２８と別のストッパ１４０の端部１４４とに係合している。ストッパ１４０は、ストッパ１２０と協働して、ばね１１０の付加的な支持を提供する堅牢な面を提供する。
【００２９】
１つの実施の形態では、ダンパ１０２はトルクコンバータ１００の部分である。トルクコンバータ１００は、回転軸ＡＲと、トルクを受けるように配置されたカバー１４６と、インペラ１４８と、タービン１５０と、ステータ１５２と、駆動プレート１０４及びカバー１４６に相対回動不能に接続されるように配置された軸方向で移動可能なピストン１５６を備えたロックアップクラッチ１５４と、を含む。１つの実施の形態では、ダンパ１０２は、プレート１０８と出力フランジ１０６とに係合したばね１５８を有している。出力フランジ１０６は、トランスミッション用の入力軸に相対回動不能に接続するように配置されている。１つの実施の形態では、ダンパ１０２は、タービン１５０とプレート１０８とに相対回動不能に接続されていて、ばね１５８に係合しているカバープレート１６０を含んでいる。１つの実施の形態では、ダンパ１０２は、カバープレート１６０に接続された振り子質量アッセンブリ１６２を含んでいる。
【００３０】
図８は、図４における領域８，９の詳細な正面図である。
【００３１】
図９は、図４における領域８，９の詳細な背面図である。図８及び図９は、ストッパ１２０と１４０の構成に関するさらなる詳細を示す斜視図である。
【００３２】
有利には、切り曲げ加工されたばねストッパ１２０は、特に面１２６と１２８は、特に、アークばね１１０の半径方向内側部分の近位で、ばね１１０のための平らな接触面を提供する。ストッパ１２０、特に面１２６と１２８は、それぞれ、ばね１１０の端部１２２と１２４における曲げ応力を最小化し、ばね１１０の耐久性を改善する。例えば図１０について上述したように、曲げ応力は、エンドキャップ１６５が従来の形式のストッパの上に角の半径（丸み）のために正確に装着されていないことにより生じる。例えば、図１０の保持体２００における部分２０２は、エンドキャップを受容するために、面１２６と１２８のような半径方向面を提供するのではなく、丸み付けられている。穴１１６と１１８のような穿孔された構造は、主要な保持体形状とストッパ１２０との間の段差高さを合わせることにより負荷応力を分散するように設計されている。このような構造は、ストッパ１２０の周りの応力を良好に分散させ、打ち抜き・成形動作中の材料の裂断を防止している。遠心力負荷がかけられるダンパ１０２とプレート１０８とに構造的強度を与えるために、プレート１０８は、ポケット１３０をストッパ１４０に接続する周方向で連続的なリム１６６を有している。外側リム１６６は、穴１１６と１１８とにかかる応力を分散させ、遠心力に対抗し、従って、ダンパ１０２が遠心力に負荷されている間にばねの質量からのフープ応力を抑制する。遠心力負荷がかけられるダンパ１０２とプレート１０８とに構造的強度を与えるために、プレート１０８は、ストッパの高さ差をつなぐ混合半径を備え、主要なポケットとストッパとの間の剛性的な移行領域を形成し、切り曲げ加工されたタブにおける応力をさらに減じる。
【００３３】
各切り曲げ加工されたストッパ１２０の面１２６と１２８は、従来のストッパの場合のように角の半径を有していないので、トルクがダンパ１０２に加えられている間、ばね１１０がポケット１３０の外に移動することができないため、切り曲げ加工されたストッパ１２０も、機能中、ばね保持能力を改善している。例えば、上述したように、理想的にはエンドキャップとばねとは周方向で整列して維持されるべきである。エンドキャップは実質的に、ばね保持器の回転軸を通る平面と同一平面である。面１２６と１２８は、軸線ＡＲを通る各平面と同一平面であるので、面１２６と１２８とは、エンドキャップの所望の向きを維持する。これにより、上述したエンドキャップの滑りやねじれは阻止される。
【００３４】
上に開示された特徴及び機能並びにその他の特徴及び機能、又はそれらに代替するものは、望ましくは多くのその他の異なるシステム又は用途に組み合わされてよいことが認められるであろう。現時点では予想又は予期されない様々な代替、修正、変更又は改良は、引き続き当業者によってなされてよく、これらも、以下の請求の範囲によって包含されることが意図されている。
【図１ａ】
0006538729.tif 000002
【図１ｂ】
0006538729.tif 000003
【図２】
0006538729.tif 000004
【図３】
0006538729.tif 000005
【図４】
0006538729.tif 000006
【図５】
0006538729.tif 000007
【図６】
0006538729.tif 000008
【図７】
0006538729.tif 000009
【図８】
0006538729.tif 000010
【図９】
0006538729.tif 000011
【図１０】
0006538729.tif 000012